(57)【要約】      （修正有）【課題】表示モニタおよび電子ビューファインダーを備える電子カメラでピント合わせ時の使い勝手をよくする。【解決手段】電子カメラのフォーカス調節方式がマニュアルフォーカス（ＭＦ）モードに設定されると、制御装置１１は、ＥＶＦ２１に電子ズームアップしたスルー画を表示させるとともに、ＬＣＤモニタ１８に等倍のスルー画を表示させる。制御装置１１はさらに、ズームアップ前の撮影画面の中央に対応するスルー画（ズーム）をＥＶＦ２１に表示させるとともに、表示倍率を２倍に自動設定する。制御装置１１は、ＥＶＦ２１に表示されているスルー画（ズーム）の範囲を示す枠を、ＬＣＤモニタ１８においてスルー画（等倍）に重ねて表示させる。制御装置１１は、ＬＣＤモニタ１８に表示するスルー画（ズーム）の位置（すなわち、電子ズームアップ処理の対象範囲）を十字キー操作信号が示す向きへ移動させる。【選択図】図１
2006287679.tif 000002
【特許請求の範囲】
【請求項１】
被写体像を撮像し、画像信号を出力する撮像手段と、
前記画像信号を用いたファインダー再生画像を表示するファインダー内表示手段と、
前記画像信号を用いた外部再生画像を表示する外部表示手段と、
マニュアルフォーカスモード設定指示に応じて、前記ファインダー再生画像および前記外部再生画像間の表示倍率を電子的に異ならせる倍率制御手段とを備えることを特徴とする電子カメラ。
【請求項２】
請求項１に記載の電子カメラにおいて、
前記倍率制御手段は、前記ファインダー再生画像の表示倍率を前記外部再生画像の表示倍率より高くすることを特徴とする電子カメラ。
【請求項３】
請求項２に記載の電子カメラにおいて、
前記倍率制御手段によって表示倍率が高められた前記ファインダー再生画像の表示範囲を示す情報を、前記外部再生画像とともに前記外部表示手段に表示させる画像合成手段をさらに備えることを特徴とする電子カメラ。
【請求項４】
請求項２または３に記載の電子カメラにおいて、
前記倍率制御手段は、前記外部再生画像の表示倍率を略１倍にすることを特徴とする電子カメラ。
【請求項５】
請求項１に記載の電子カメラにおいて、
前記倍率制御手段は、前記外部再生画像の表示倍率を前記ファインダー再生画像の表示倍率より高くすることを特徴とする電子カメラ。
【請求項６】
請求項５に記載の電子カメラにおいて、
前記倍率制御手段によって表示倍率が高められた前記外部再生画像の表示範囲を示す情報を、前記ファインダー再生画像とともに前記ファインダー表示手段に表示させる画像合成手段をさらに備えることを特徴とする電子カメラ。
【請求項７】
請求項５または６に記載の電子カメラにおいて、
前記倍率制御手段は、前記ファインダー再生画像の表示倍率を略１倍にすることを特徴とする電子カメラ。
【請求項８】
請求項１〜７のいずれか一項に記載の電子カメラにおいて、
前記ファインダー内表示手段は、電子ビューファインダーによって構成されることを特徴とする電子カメラ。
【発明の詳細な説明】
【技術分野】
【０００１】
本発明は、画像を表示する表示モニタとファインダーとを備える電子カメラに関する。
【背景技術】
【０００２】
画像を表示する表示モニタと電子ビューファインダーとを備える電子カメラが知られている（特許文献１参照）。特許文献１には、電子カメラの撮影モード時において、表示モニタおよび電子ビューファインダーのいずれか一方にスルー画像を等倍で表示し、他方にズーミングしたスルー画像を表示する技術が開示されている。ズーミングしたスルー画像は、ピント合わせ状態の確認のために用いられる。
【０００３】
【特許文献１】特開２００１−１６９２２６号公報
【発明の開示】
【発明が解決しようとする課題】
【０００４】
特許文献１の電子カメラでは、ピント合わせ前にズーミング画像の表示設定を行う必要があり、ピント合わせ時の操作がわずらわしい。
【課題を解決するための手段】
【０００５】
本発明による電子カメラは、被写体像を撮像し、画像信号を出力する撮像手段と、画像信号を用いたファインダー再生画像を表示するファインダー内表示手段と、画像信号を用いた外部再生画像を表示する外部表示手段と、マニュアルフォーカスモード設定指示に応じて、ファインダー再生画像および外部再生画像間の表示倍率を電子的に異ならせる倍率制御手段とを備えることを特徴とする。
請求項１に記載の電子カメラにおいて、ファインダー再生画像の表示倍率を外部再生画像の表示倍率より高くするように倍率制御手段を構成してもよい。この場合の電子カメラはさらに、倍率制御手段によって表示倍率が高められたファインダー再生画像の表示範囲を示す情報を、外部再生画像とともに外部表示手段に表示させる画像合成手段を備えることもできる。
請求項２または３に記載の電子カメラにおいて、倍率制御手段は、外部再生画像の表示倍率を略１倍にすることもできる。
請求項１に記載の電子カメラにおいて、外部再生画像の表示倍率をファインダー再生画像の表示倍率より高くするように倍率制御手段を構成してもよい。この場合の電子カメラはさらに、倍率制御手段によって表示倍率が高められた外部再生画像の表示範囲を示す情報を、ファインダー再生画像とともにファインダー表示手段に表示させる画像合成手段を備えることもできる。
請求項５または６に記載の電子カメラにおいて、倍率制御手段は、ファインダー再生画像の表示倍率を略１倍にすることもできる。
請求項１〜７のいずれか一項に記載の電子カメラにおいて、ファインダー内表示手段を電子ビューファインダーによって構成することもできる。
【発明の効果】
【０００６】
本発明による電子カメラでは、マニュアルフォーカスモード設定指示に応じて、ファインダー再生画像と外部再生画像とで表示倍率を電子的に異ならせたので、マニュアルフォーカスモード設定時にズーミング画像の表示設定をしなくてもよく、ピント合わせ時の使い勝手が向上する。
【発明を実施するための最良の形態】
【０００７】
以下、図面を参照して本発明を実施するための最良の形態について説明する。図１は、本発明の一実施の形態による電子カメラの構成を説明するブロック図である。図１において、電子カメラは、フォーカスレンズ２を含む撮影レンズ１と、フォーカスレンズ駆動装置３と、フォーカス制御装置４と、測光装置５と、撮像装置６と、映像処理装置７と、オートフォーカス装置８と、フォーカス切替装置９と、マニュアルフォーカス装置１０と、制御装置１１と、半押しスイッチ１２と、全押しスイッチ１３と、記録装置１４と、出力切替装置１５と、出力制御装置１６と、ＬＣＤドライバ１７と、ＬＣＤモニタ１８と、ＥＶＦ（電子ビューファインダー）ドライバ１９と、ＥＶＦ（電子ビューファインダー）２１と、操作部材２２とを有する。
【０００８】
制御装置１１は、マイクロコンピュータなどによって構成され、電子カメラを構成する各部を制御する。撮影レンズ１は、撮像装置６の撮像面（不図示）上に被写体像を結像させる。フォーカスレンズ駆動装置３は、フォーカス制御装置４から送出されるフォーカス制御信号に応じてフォーカスレンズ２を光軸方向に進退駆動する。フォーカス制御装置４は、マニュアルフォーカス装置１０からのフォーカス調節信号、もしくはオートフォーカス装置８からのフォーカス調節信号に応じてフォーカス制御信号を生成し、生成したフォーカス制御信号をフォーカスレンズ駆動装置３へ送出する。
【０００９】
切替えスイッチなどで構成されるフォーカス切替装置９は、オートフォーカス（ＡＦ）モードとマニュアルフォーカス（ＭＦ）モードとを切替えるための操作部材である。オートフォーカスモードは、撮影レンズ１の焦点調節を電子カメラが自動で行うモードであり、オートフォーカス装置８によってフォーカス調節信号が生成される。マニュアルフォーカスモードは、焦点調節を撮影者が手動で行うモードであり、撮影者による焦点調節操作に応じたフォーカス調節信号をマニュアルフォーカス装置１０が出力する。
【００１０】
制御装置１１は、フォーカス切替装置９からオートフォーカスモードに切替える操作信号が入力された場合、オートフォーカス装置８によるフォーカス調節信号をフォーカス制御装置４へ送出し、フォーカス切替装置９からマニュアルフォーカスモードに切替える操作信号が入力された場合、マニュアルフォーカス装置１０によるフォーカス調節信号をフォーカス制御装置４へ送出する。なお、オートフォーカス装置８によるフォーカス検出方式は、周知の山登り方式であっても、周知の位相差方式であっても構わない。
【００１１】
測光装置５は、不図示の測光センサで検出した被写体輝度に基づいて周知の露出演算を行うことによって露出条件を決定し、撮影時の露出制御を行う。撮像装置６は、撮像面（不図示）に結像されている被写体像を撮像し、撮像信号（画像信号）を出力する。映像処理装置７は、撮像装置６から出力される撮像信号に対して所定の信号処理を行い、所定の出力形式の画像データおよび所定の記録形式の画像データに変換する。
【００１２】
制御装置１１は、切替えスイッチなどで構成される出力切替装置１５から入力される切替え操作信号に応じて、ＬＣＤモニタ１８に対する表示、およびＥＶＦ２１に対する表示をそれぞれ指示する信号と、上記所定の出力形式の画像データとを出力制御装置１６へ送出する。出力制御装置１６は、入力される画像データに基づいてＬＣＤモニタ１８およびＥＶＦ２１による表示解像度、表示倍率（電子ズーム倍率）に対応する表示信号を生成し、ＬＣＤドライバ１７およびＥＶＦドライバ１９へそれぞれ出力する。
【００１３】
ＬＣＤドライバ１７は、表示信号をＬＣＤモニタ１８の入力インターフェイスに応じた再生表示信号に変換してＬＣＤモニタ１８へ送出する。ＬＣＤモニタ１８は、ＬＣＤドライバ１７から入力される再生表示信号による再生画像を表示する。ＥＶＦドライバ１９は、表示信号をＥＶＦ２１の入力インターフェイスに応じた再生表示信号に変換してＥＶＦ２１へ送出する。ＥＶＦ２１ファインダー２０内に配設されるＥＶＦ２１は、ＥＶＦドライバ１９から入力される再生表示信号による再生画像を表示する。
【００１４】
記録装置１４は、制御装置１１から出力される上記所定の記録形式の画像データをメモリカード（不図示）などの記録媒体に記録する。また、記録装置１４は、記録媒体に記録されている画像データを読出して制御装置１１へ出力することも可能に構成されている。
【００１５】
半押しスイッチ１２は、レリーズボタン（不図示）の半押し操作に連動してオン／オフされるスイッチであり、オン／オフ操作信号を制御装置１１へ出力する。全押しスイッチ１３は、レリーズボタン（不図示）の全押し操作に連動してオン／オフされるスイッチであり、オン／オフ操作信号を制御装置１１へ出力する。
【００１６】
操作部材２２は、不図示のモード切替えスイッチおよび十字キースイッチを含む。モード切替えスイッチは、撮影モードや再生モードなどの電子カメラの動作モードを切替えるための操作部材であり、切替え操作信号を制御装置１１へ出力する。撮影モードは、被写体像を撮影し、撮影した画像のデータを記録装置１４によって記録媒体に保存する動作モードである。再生モードは、撮影済みの画像データを記録媒体などから読出し、当該画像データによる再生画像をＬＣＤモニタ１８（もしくはＥＶＦ２１）によって再生表示する動作モードである。
【００１７】
十字キースイッチは、電子カメラに上下左右の向きを指示するための操作部材であり、操作に応じた方向を示す操作信号を制御装置１１へ出力する。十字キースイッチは、後述するズームアップ処理の対象とする範囲の移動方向を指示する場合などに用いられる。
【００１８】
本発明による電子カメラは、とくにマニュアルフォーカスモードに設定された場合の動作に特徴を有する。本実施の形態では、ＥＶＦ２１に表示を行うための切替え操作信号が出力切替装置１５から制御装置１１へ入力されているものとする。
【００１９】
図２は、制御装置１１によって実行されるカメラ処理の流れを説明するフローチャートである。図２による処理は、電子カメラが撮影モードに切替えられている場合に繰り返し行われる。
【００２０】
図２のステップＳ１において、制御装置１１は、マニュアルフォーカス（ＭＦ）モードか否かを判定する。制御装置１１は、フォーカス切替装置９からマニュアルフォーカスモードに切替える操作信号が入力されている場合にステップＳ１を肯定判定してステップＳ２へ進み、オートフォーカス（ＡＦ）モードに切替える操作信号が入力されている場合には、ステップＳ１を否定判定してステップＳ１４へ進む。
【００２１】
ステップＳ２において、制御装置１１は、ＥＶＦ２１にズームアップしたスルー画を表示するように出力制御装置１６へ指示してステップＳ３へ進む。スルー画像は、本撮影画像を撮影前に確認するための画像であり、撮影指示前に撮像装置６から出力される撮像信号による再生画像である。出力制御装置１６は、撮像装置６から逐次出力される撮像信号を用いて、当該撮像信号による再生画像をＥＶＦ２１に逐次表示させる。図３は、この時点でＥＶＦ２１に表示されるスルー画（ズーム）を例示する図である。出力制御装置１６は、周知の電子ズーム処理によって表示倍率を、たとえば２倍に高めるとともに、ズームアップ前の撮影画面の中央をズームアップ処理の対象範囲として再生表示信号を加工し、図３に示すスルー画（ズーム）をＥＶＦ２１に表示させる。
【００２２】
ステップＳ３において、制御装置１１は、ＬＣＤモニタ１８に等倍のスルー画を表示するように出力制御装置１６へ指示してステップＳ４へ進む。これにより、出力制御装置１６は、ステップＳ２においてズームアップ処理する前の撮像信号を用いてＬＣＤモニタ１８用の再生表示信号を生成する。ここで等倍とは、スルー画像の表示範囲と撮影範囲とが略等しい（１倍）であることを意味する。出力制御装置１６はさらに、ＥＶＦ２１に表示中のスルー画（ズーム）の範囲を示す枠４１をＬＣＤモニタ１８においてスルー画（等倍）に重ねて表示するように、再生表示信号に枠表示データを含める。図４は、この時点でＬＣＤモニタ１８に表示されるスルー画（等倍）および枠４１を例示する図である。
【００２３】
ステップＳ４において、制御装置１１は、十字キーが操作されたか否かを判定する。制御装置１１は、操作部材２２から十字キー操作信号が入力されるとステップＳ４を肯定判定し、ステップＳ５へ進む。制御装置１１は、操作部材２２から十字キー操作信号が入力されない場合には、ステップＳ４を否定判定してステップＳ６へ進む。
【００２４】
ステップＳ５において、制御装置１１は、ＥＶＦ２１に表示するスルー画（ズーム）の位置を十字キー操作信号によって示される向きへ移動させるように出力制御装置１６へ指示してステップＳ５１へ進む。これにより、出力制御装置１６は、ＬＣＤモニタ１８においてスルー画像に重ね表示させている枠４１の表示位置を移動するように枠表示データを加工する。出力制御装置１６はさらに、枠４１によって示される範囲のスルー画（ズーム）をＥＶＦ２１に表示させるように再生表示信号を加工する。これによって撮影者は、ＥＶＦ２１に電子ズーム表示されているスルー画（ズーム）を確認しながら、マニュアルフォーカス装置１０を構成する不図示のフォーカス環を操作してピント合わせを行う。マニュアルフォーカス装置１０は、フォーカス環の操作量に応じてフォーカス調節信号を生成する。
【００２５】
ステップＳ５１において、制御装置１１は、ＭＦ操作されたか否かを判定する。制御装置１１は、不図示のフォーカス環が操作された場合にステップＳ５１を肯定判定してステップＳ５２へ進み、フォーカス環が操作されない場合にはステップＳ５１を否定判定し、ステップＳ６へ進む。
【００２６】
ステップＳ５２において、制御装置１１は撮影レンズ１内のフォーカスレンズ２を、不図示のフォーカス環の操作量に応じてマニュアルフォーカス装置１０によって示される位置へ移動させるよう、フォーカス制御装置４へ指示する。これにより、出力制御装置１６は、フォーカスレンズ２の移動後に撮像装置６で得られた新しい撮像データをＬＣＤモニタ１８を制御するＬＣＤドライバ１７へ出力する。ＬＣＤドライバ１７は、枠４１と撮像データをＬＣＤモニタ１８に表示する。また、出力制御装置１６はフォーカスレンズ２の移動後に撮像装置６で得られた新しい撮像データをファインダ２０内のＥＶＦ２１を制御するＥＶＦドライバ１９へ出力する。ＥＶＦドライバ１９は、撮像データの指定部分を拡大してＥＶＦ２１に表示する。これにより撮影者は、ＥＶＦ２１に電子ズーム表示されているスルー画（ズーム）で、フォーカスを確認できる。なお、ステップＳ５１およびＳ５２の処理は、ＥＶＦ２１、ＬＣＤモニタ１８の制御装置と別とし、ＥＶＦ２１、ＬＣＤモニタ１８の動作と同時並行に動作することも可能に構成してもよい。
【００２７】
ステップＳ６において、制御装置１１は、半押し操作されたか否かを判定する。制御装置１１は、半押しスイッチ１２から操作信号が入力された場合にステップＳ６を肯定判定してステップＳ７へ進み、半押しスイッチ１２から操作信号が入力されない場合には、ステップＳ６を否定判定してステップＳ２へ戻る。
【００２８】
ステップＳ７において、制御装置１１は、測光装置５にＡＥ（露出演算）処理を行わせてステップＳ８へ進む。ステップＳ８において、制御装置１１は、全押し操作されたか否かを判定する。制御装置１１は、全押しスイッチ１３から操作信号が入力された場合にステップＳ８を肯定判定してステップＳ９へ進み、全押しスイッチ１３から操作信号が入力されない場合には、ステップＳ８を否定判定してステップＳ１３へ進む。
【００２９】
ステップＳ９において、制御装置１１は、電子カメラ内の各部に撮影動作を開始させてステップＳ１０へ進む。これにより、撮像装置６の撮像面（不図示）に結像されている被写体像が撮像され、撮像信号が所定の出力形式の画像データおよび所定の記録形式の画像データに変換される。
【００３０】
ステップＳ１０において、制御装置１１は、ＬＣＤモニタ１８に等倍のフリーズ画を表示するとともに、ＥＶＦ２１にズームアップしたフリーズ画を表示するように出力制御装置１６へ指示してステップＳ１１へ進む。フリーズ画像は、撮影指示後に撮像装置６から出力される撮像信号による再生画像（撮影画像）である。
【００３１】
ステップＳ１１において、制御装置１１は、画像データをメモリカード（不図示）などの記録媒体に記録するように記録装置１４へ指示してステップＳ１２へ進む。
【００３２】
ステップＳ１２において、制御装置１１は、ＬＣＤモニタ１８に等倍のスルー画を表示するとともに、ＥＶＦ２１にズームアップしたスルー画を表示するように出力制御装置１６へ指示して図２による処理を終了する。ＥＶＦ２１に表示されるスルー画のズーム範囲は、ＬＣＤモニタ１８において枠４１が示す範囲に対応する。
【００３３】
ステップＳ８を否定判定して進むステップＳ１３において、制御装置１１は、半押し操作が継続されているか否かを判定する。制御装置１１は、半押しスイッチ１２から操作信号が継続して入力されている場合にステップＳ１３を肯定判定してステップＳ７へ戻り、半押しスイッチ１２から操作信号が入力されていない場合にはステップＳ１３を否定判定し、図２による処理を終了する。
【００３４】
ステップＳ１を否定判定して進むステップＳ１４において、制御装置１１は、ＥＶＦ２１に等倍のスルー画を表示するように出力制御装置１６へ指示してステップＳ１５へ進む。なお、ＬＣＤモニタ１８の表示はオフである。
【００３５】
ステップＳ１５において、制御装置１１は、半押し操作されたか否かを判定する。制御装置１１は、半押しスイッチ１２から操作信号が入力された場合にステップＳ１５を肯定判定してステップＳ１６へ進み、半押しスイッチ１２から操作信号が入力されない場合には、ステップＳ１５を否定判定して当該判定処理を繰り返す。
【００３６】
ステップＳ１６において、制御装置１１は、測光装置５にＡＥ（露出演算）処理を行わせてステップＳ１７へ進む。ステップＳ１７において、制御装置１１は、オートフォーカス装置８にオートフォーカス（ＡＦ）処理を実行させてステップＳ１８へ進む。
【００３７】
ステップＳ１８において、制御装置１１は、全押し操作されたか否かを判定する。制御装置１１は、全押しスイッチ１３から操作信号が入力された場合にステップＳ１８を肯定判定してステップＳ１９へ進み、全押しスイッチ１３から操作信号が入力されない場合には、ステップＳ１８を否定判定してステップＳ２３へ進む。
【００３８】
ステップＳ１９において、制御装置１１は、電子カメラ内の各部に撮影動作を開始させてステップＳ２０へ進む。これにより、撮像装置６の撮像面（不図示）に結像されている被写体像が撮像され、撮像信号が所定の出力形式の画像データおよび所定の記録形式の画像データに変換される。
【００３９】
ステップＳ２０において、制御装置１１は、ＥＶＦ２１に等倍のフリーズ画を表示するように出力制御装置１６へ指示してステップＳ２１へ進む。ステップＳ２１において、制御装置１１は、画像データをメモリカード（不図示）などの記録媒体に記録するように記録装置１４へ指示してステップＳ２２へ進む。
【００４０】
ステップＳ２２において、制御装置１１は、ＥＶＦ２１に等倍のスルー画を表示するように出力制御装置１６へ指示して図２による処理を終了する。
【００４１】
ステップＳ１８を否定判定して進むステップＳ２３において、制御装置１１は、半押し操作が継続されているか否かを判定する。制御装置１１は、半押しスイッチ１２から操作信号が継続して入力されている場合にステップＳ２３を肯定判定してステップＳ１６へ戻り、半押しスイッチ１２から操作信号が入力されていない場合には、ステップＳ２３を否定判定して図２による処理を終了する。
【００４２】
以上説明した実施形態によれば、次の作用効果が得られる。
（１）電子カメラのフォーカス調節方式がマニュアルフォーカス（ＭＦ）モードに設定指示されると、ＥＶＦ２１に電子ズームアップしたスルー画を表示させるとともに、ＬＣＤモニタ１８に等倍のスルー画を表示させるようにした。これにより、撮影者はＬＣＤモニタ１８に表示されるスルー画（等倍）で構図を確認しながら、ＥＶＦ２１に表示されるスルー画（ズーム）で焦点調節状態を確認できる。また、焦点調節状態をＥＶＦ２１の表示で確認するので、日中の屋外などの周囲が明るい状況でも焦点調節状態の確認を行いやすい。
【００４３】
（２）電子カメラは、ズームアップ前の撮影画面の中央に対応するスルー画（ズーム）をＥＶＦ２１に表示させるとともに、表示倍率を２倍に自動設定するようにしたので、撮影者が電子ズーム処理の対象範囲や倍率を指示する操作をしなくてもよく、ピント合わせ時の使い勝手が向上する。
【００４４】
（３）ＥＶＦ２１に表示されているスルー画（ズーム）の範囲を示す枠４１をＬＣＤモニタ１８においてスルー画（等倍）に重ねて表示したので、撮影画面のどこがＥＶＦ２１においてズームアップ表示されているか（すなわち、撮影画像のどの位置で焦点調節を行うか）がわかりやすくなり、ピント合わせ時の使い勝手が向上する。
【００４５】
（４）電子カメラは、ＥＶＦ２１に表示するスルー画（ズーム）の位置（すなわち、電子ズームアップ処理の対象範囲）を十字キー操作信号が示す向きへ移動させるようにしたので、撮影者は、ズームアップ前の撮影画面における任意の位置の被写体に対してピント合わせを行うことができる。
【００４６】
（変形例）
制御装置１１は、ＬＣＤモニタ１８に表示を行うための切替え操作信号が出力切替装置１５から入力されている場合には、次のようにカメラ処理を行う。図５は、制御装置１１によって実行されるカメラ処理の流れを説明するフローチャートである。図５による処理は、電子カメラが撮影モードに切替えられている場合に繰り返し行われる。
【００４７】
図２および図５間で相違する箇所はステップＳ２Ａ、Ｓ３Ａ、Ｓ５Ａ、Ｓ１０Ａ、Ｓ１２Ａ、Ｓ１４Ａ、Ｓ２０Ａ、およびＳ２２Ａであるので、これら相違点を中心に説明する。
【００４８】
図５のステップＳ２Ａにおいて、制御装置１１は、ＬＣＤモニタ１８にズームアップしたスルー画を表示するように出力制御装置１６へ指示してステップＳ３Ａへ進む。ステップＳ３Ａにおいて、制御装置１１は、ＥＶＦ２１に等倍のスルー画を表示するように出力制御装置１６へ指示してステップＳ４へ進む。これにより、出力制御装置１６は、ステップＳ２Ａにおいてズームアップ処理する前の撮像信号を用いてＥＶＦ２１用の再生表示信号を生成する。出力制御装置１６はさらに、ＬＣＤモニタ１８に表示中のスルー画（ズーム）の範囲を示す枠（図４の枠４１と同様）をＥＶＦ２１においてスルー画（等倍）に重ねて表示するように、再生表示信号に枠表示データを含める。
【００４９】
ステップＳ５Ａにおいて、制御装置１１は、ＬＣＤモニタ１８に表示するスルー画（ズーム）の位置を十字キー操作信号によって示される向きへ移動させるように出力制御装置１６へ指示してステップＳ５１へ進む。これにより、出力制御装置１６は、ＥＶＦ２１においてスルー画像に重ね表示させている枠（図４の枠４１と同様）の表示位置を移動するように枠表示データを加工する。出力制御装置１６はさらに、枠（図４の枠４１と同様）によって示される範囲のスルー画（ズーム）をＬＣＤモニタ１８に表示させるように再生表示信号を加工する。これによって撮影者は、ＬＣＤモニタ１８に電子ズーム表示されているスルー画（ズーム）を確認しながら、マニュアルフォーカス装置１０を構成する不図示のフォーカス環を操作してピント合わせを行う。
【００５０】
ステップＳ１０Ａにおいて、制御装置１１は、ＥＶＦ２１に等倍のフリーズ画を表示するとともに、ＬＣＤモニタ１８にズームアップしたフリーズ画を表示するように出力制御装置１６へ指示してステップＳ１１へ進む。
【００５１】
ステップＳ１２Ａにおいて、制御装置１１は、ＥＶＦ２１に等倍のスルー画を表示するとともに、ＬＣＤモニタ１８にズームアップしたスルー画を表示するように出力制御装置１６へ指示して図５による処理を終了する。ＬＣＤモニタ１８に表示されるスルー画のズーム範囲は、ＥＶＦ２１において枠（図４の枠４１と同様）が示す範囲に対応する。
【００５２】
ステップＳ１を否定判定して進むステップＳ１４Ａにおいて、制御装置１１は、ＬＣＤモニタ１８に等倍のスルー画を表示するように出力制御装置１６へ指示してステップＳ１５へ進む。なお、ＥＶＦ２１の表示はオフである。
【００５３】
ステップＳ２０Ａにおいて、制御装置１１は、ＬＣＤモニタ１８に等倍のフリーズ画を表示するように出力制御装置１６へ指示してステップＳ２１へ進む。
【００５４】
ステップＳ２２Ａにおいて、制御装置１１は、ＬＣＤモニタ１８に等倍のスルー画を表示するように出力制御装置１６へ指示して図５による処理を終了する。
【００５５】
以上説明した変形例によれば、次の作用効果が得られる。
（１）電子カメラのフォーカス調節方式がマニュアルフォーカス（ＭＦ）モードに設定指示されると、ＬＣＤモニタ１８に電子ズームアップしたスルー画を表示させるとともに、ＥＶＦ２１に等倍のスルー画を表示させるようにした。これにより、撮影者はＥＶＦ２１に表示されるスルー画（等倍）で構図を確認しながら、ＬＣＤモニタ１８に表示されるスルー画（ズーム）で焦点調節状態を確認できる。
【００５６】
（２）電子カメラは、ズームアップ前の撮影画面の中央に対応するスルー画（ズーム）をＬＣＤモニタ１８に表示させるとともに、表示倍率を２倍に自動設定するようにしたので、撮影者が電子ズーム処理の対象範囲や倍率を指示する操作をしなくてもよく、ピント合わせ時の使い勝手が向上する。
【００５７】
（３）ＬＣＤモニタ１８に表示されているスルー画（ズーム）の範囲を示す枠（図４の枠４１と同様）をＥＶＦ２１においてスルー画（等倍）に重ねて表示したので、撮影画面のどこがＬＣＤモニタ１８においてズームアップ表示されているか（すなわち、撮影画像のどの位置で焦点調節を行うか）がわかりやすくなり、ピント合わせ時の使い勝手が向上する。
【００５８】
（４）電子カメラは、ＬＣＤモニタ１８に表示するスルー画（ズーム）の位置（すなわち、電子ズームアップ処理の対象範囲）を十字キー操作信号が示す向きへ移動させるようにしたので、撮影者は、ズームアップ前の撮影画面における任意の位置の被写体に対してピント合わせを行うことができる。
【００５９】
以上の説明では、電子カメラのフォーカス調節方式がマニュアルフォーカス（ＭＦ）モードに設定されると、ＥＶＦ２１（もしくはＬＣＤモニタ１８）に２倍にズームアップしたスルー画を表示するようにしたが、表示倍率は４倍でも８倍でもよく、ＥＶＦ２１（もしくはＬＣＤモニタ１８）の表示解像度に応じて適宜設定してよい。
【００６０】
また、ＥＶＦ２１（もしくはＬＣＤモニタ１８）にズームアップ表示される倍率を可変に構成してもよい。
【００６１】
ＥＶＦ２１（もしくはＬＣＤモニタ１８）に等倍（１倍）表示する例を説明したが、この場合の倍率は、必ずしも１倍でなくてもよく、０．９倍でもよい。
【００６２】
特許請求の範囲における各構成要素と、発明を実施するための最良の形態における各構成要素との対応について説明する。撮像手段は、たとえば、撮像装置６によって構成される。ファインダー再生画像は、たとえば、スルー画（ズーム）が対応する。外部再生画像は、たとえば、スルー画（等倍）が対応する。ファインダー内表示手段は、たとえば、ＥＶＦ２１によって構成される。外部表示手段は、たとえば、ＬＣＤモニタ１８によって構成される。表示範囲を示す情報は、たとえば、枠４１が対応する。倍率制御手段および画像合成手段は、たとえば、制御装置１１および出力制御装置１６によって構成される。なお、以上の説明はあくまで一例であり、発明を解釈する上で、上記の実施形態の構成要素と本発明の構成要素との対応関係に何ら限定されるものではない。マニュアルフォーカス装置はフォーカス環を操作してピント合わせを行うとしているが、他の操作部材の操作（たとえば、スイッチ操作）によってフォーカスレンズを操作することでピント合わせを行ってもよい。
【図面の簡単な説明】
【００６３】
【図１】本発明の一実施の形態による電子カメラの構成を説明するブロック図である。
【図２】制御装置によって実行されるカメラ処理の流れを説明するフローチャートである。
【図３】ＥＶＦに表示されるスルー画（ズーム）を例示する図である。
【図４】ＬＣＤモニタに表示されるスルー画（等倍）および枠を例示する図である。
【図５】制御装置によって実行されるカメラ処理の変形例の流れを説明するフローチャートである。
【符号の説明】
【００６４】
６…撮像装置
８…オートフォーカス装置
９…フォーカス切替装置
１０…マニュアルフォーカス装置
１１…制御装置
１５…出力切替装置
１６…出力制御装置
１７…ＬＣＤドライバ
１８…ＬＣＤモニタ
１９…ＥＶＦドライバ
２１…ＥＶＦ
２２…操作部材
４１…枠
【図１】
2006287679.tif 000003
【図２】
2006287679.tif 000004
【図３】
2006287679.tif 000005
【図４】
2006287679.tif 000006
【図５】
2006287679.tif 000007